(57)【要約】【課題】動力伝達効率を低下させることなく、サイレントチェーンの弦振動を抑制する。【解決手段】サイレントチェーン１のリンクプレート２は、一対の歯部２１およびピン穴２２を有しており、さらに、ピン穴中心線ＣＰ　の上方でリンク中心線ＣＬ　上においてリンク厚み方向に突出する突起部２０を有している。サイレントチェーンの背面側への屈曲時には、リンクプレート２の突起部２０が、リンクプレート２と厚み方向に隣り合う各リンクプレート２′の肩部２３と干渉することにより、リンクプレート２，２′の背面側への屈曲運動が規制される。一方、サイレントチェーンの噛合側への屈曲時には、リンクプレート２の突起部２０はリンクプレート２′と干渉しない。これにより、サイレントチェーンの動力伝達効率を低下させることなく、サイレントチェーンの弦振動を抑制できる。【選択図】　　図３
2004028154.tif 000002
【特許請求の範囲】
【請求項１】
多数のリンクプレートを長さ方向および厚み方向に配列して、連結ピンにより各々枢支可能に連結してなるサイレントチェーンに用いられる前記リンクプレートであって、
一対の歯部を有するリンクプレート本体と、
前記リンクプレート本体に形成され、前記連結ピンを挿入するための一対のピン穴とを備え、
前記リンクプレート本体が、当該リンクプレートと厚み方向に隣り合うリンクプレートまたはガイドリンクの肩部と干渉することにより前記サイレントチェーンの背面側への屈曲を規制するように厚み方向に突出する突起部を有している、ことを特徴とするサイレントチェーン用リンクプレート。
【請求項２】
請求項１において、
前記突起部が、前記各ピン穴の中心を通るピン穴中心線の上方において、リンクプレート中心線上に配置されている、
ことを特徴とするサイレントチェーン用リンクプレート。
【請求項３】
請求項１において、
前記リンクプレートの前記肩部が、前記リンクプレートのピン穴中心線と概略直交しつつ延びる平坦状の立ち上がり部を有している、
ことを特徴とするサイレントチェーン用リンクプレート。
【請求項４】
請求項１または２において、
前記突起部が、前記リンクプレート本体にプレス圧縮加工を施すことにより前記リンクプレート本体と一体に形成されている、
ことを特徴とするサイレントチェーン用リンクプレート。
【請求項５】
請求項１または２において、
前記突起部が、前記リンクプレート本体を挿通するピンにより構成されている、
ことを特徴とするサイレントチェーン用リンクプレート。
【請求項６】
請求項１ないし５のいずれかに記載のリンクプレートを含むサイレントチェーン。
【請求項７】
請求項６において、
前記リンクプレートが、チェーン長手方向に不規則な配列で配置されている、ことを特徴とするサイレントチェーン。
【請求項８】
各々一対の歯部およびピン穴を有する多数のリンクプレートを長さ方向および厚み方向に配列して、前記ピン穴に挿入した連結ピンにより各々枢支可能に連結してなるサイレントチェーンに用いられ、前記サイレントチェーンをスプロケット上の所定位置に維持するためのガイドリンクであって、
ガイドリンク本体と、
前記ガイドリンク本体に形成され、前記連結ピンを挿入するための一対のピン穴とを備え、
前記ガイドリンク本体が、当該ガイドリンクと厚み方向に隣り合うリンクプレートの肩部と干渉することにより前記サイレントチェーンの背面側への屈曲を規制するように厚み方向に突出する突起部を有している、
ことを特徴とするサイレントチェーン用ガイドリンク。
【請求項９】
請求項８において、
前記突起部が、前記各ピン穴の中心を通るピン穴中心線の上方において、ガイドリンク中心線上に配置されている、
ことを特徴とするサイレントチェーン用ガイドリンク。
【請求項１０】
請求項８または９において、
前記突起部が、前記ガイドリンク本体にプレス圧縮加工を施すことにより前記ガイドリンク本体と一体に形成されている、
ことを特徴とするサイレントチェーン用ガイドリンク。
【請求項１１】
請求項８または９において、
前記突起部が、前記ガイドリンク本体を挿通するピンにより構成されている、ことを特徴とするサイレントチェーン用ガイドリンク。
【請求項１２】
請求項８ないし１１のいずれかに記載のガイドリンクを含むサイレントチェーン。
【請求項１３】
請求項１２において、
前記ガイドリンクが、チェーン長手方向に不規則な配列で配置されている、
ことを特徴とするサイレントチェーン。
【請求項１４】
多数のリンクプレートを長さ方向および厚み方向に配列して、連結ピンにより各々枢支可能に連結してなるサイレントチェーンにおいて、前記サイレントチェーンの背面側への屈曲を規制するための屈曲規制リンクであって、
歯部を有しないリンク本体と、
前記リンク本体に形成され、前記連結ピンを挿入するための一対のピン穴とを備え、
前記リンク本体が、当該リンクと厚み方向に隣り合うリンクプレートまたはガイドリンクの肩部と干渉することにより前記サイレントチェーンの背面側への屈曲を規制するように厚み方向に突出する突起部を一体に有している、
ことを特徴とするサイレントチェーン用屈曲規制リンク。
【請求項１５】
請求項１４において、
前記突起部が、前記リンク本体にプレス曲げ加工を施すことにより前記リンク本体と一体に形成されている、
ことを特徴とするサイレントチェーン用屈曲規制リンク。
【請求項１６】
請求項１４または１５のいずれかに記載の屈曲規制リンクを含むサイレントチェーン。
【請求項１７】
請求項１６において、
前記屈曲規制リンクが、チェーン長手方向に不規則な配列で配置されている、ことを特徴とするサイレントチェーン。
【発明の詳細な説明】
【０００１】
【発明の属する技術分野】
本発明は、サイレントチェーンに関し、詳細には、サイレントチェーンの弦振動を抑制するための制振構造の改良に関する。
【０００２】
【従来の技術およびその課題】
一般に、サイレントチェーンは、各々一対の歯部およびピン穴を有する多数のリンクプレートを長さ方向および厚み方向に積層して、これらを連結ピンにより枢支可能に連結することにより構成されている。
【０００３】
ところで、サイレントチェーンにおいては、チェーンが巻き掛けられるスプロケットの歯数および回転数から定まる噛合周波数が、チェーンのスパン長およびチェーン張力から定まるチェーンの共振周波数と一致すると、チェーンスパンが共振を起こして、チェーンスパンが激しく横方向に振動し、これが装置の騒音となっていた。
【０００４】
このような騒音を誘発するチェーンスパンの振動つまり弦振動を抑制するために、従来より、サイレントチェーン内部にばねリンクを配置したものが用いられている。
【０００５】
ばねリンクは、特開平１０−５４４４５号公報などに示すように、全体が波形形状を有しており、板厚方向に圧縮された状態でチェーンに組み込まれることにより、その圧縮変形にともなう弾性反発力が、隣り合うリンクプレート間に摩擦力を作用させ、これにより、チェーンの屈曲抵抗が増大して、チェーンの弦振動が抑制されるようになっている。
【０００６】
しかしながら、このようなばねリンクを用いる方法では、サイレントチェーンによる動力伝達時においても、常時摩擦損失（フリクションロス）が発生していることになるため、動力伝達効率が低下するという問題があった。また、ばねリンクを設けることで、ばねリンク自体がチェーンの伝動能力に寄与しないにも拘らず、チェーン全体の幅が大きくなるという欠点もあった。さらに、長期間の使用中にリンクプレート同士の接触面が摩耗する結果、弦振動に対する制振力が低下するという問題もあった。
【０００７】
本発明は、このような従来の実情に鑑みてなされたもので、その目的は、動力伝達効率を低下させることなく、サイレントチェーンの弦振動を抑制できるようにすることにある。
【０００８】
【課題を解決するための手段】
請求項１の発明に係るサイレントチェーン用リンクプレートは、多数のリンクプレートを長さ方向および厚み方向に配列して、連結ピンにより各々枢支可能に連結してなるサイレントチェーンに用いられるリンクプレートであって、一対の歯部を有するリンクプレート本体と、リンクプレート本体に形成され、連結ピンを挿入するための一対のピン穴とを備えている。リンクプレート本体は、当該リンクプレートと厚み方向に隣り合うリンクプレートまたはガイドリンクの肩部と干渉することによりサイレントチェーンの背面側への屈曲を規制するように厚み方向に突出する突起部を有している。
【０００９】
請求項１の発明によれば、運転時において、共振などによりサイレントチェーンが背面側に屈曲する際には、リンクプレートの突起部が当該リンクプレートと厚み方向に隣り合う他のリンクプレートまたはガイドリンクの肩部と当接する。その結果、リンクプレートまたはガイドリンクの背面側への屈曲運動が規制されるので、チェーンスパンの横方向の振動をほぼ片振状態にすることができる。これにより、サイレントチェーンの弦振動を抑制できる。
【００１０】
この場合には、サイレントチェーンの噛合時にリンクプレートの屈曲運動を阻害することがなく、また、リンクプレートに突起部を設けることでフリクションロスを発生させることもない。これにより、サイレントチェーンの動力伝達効率を低下させることなく、サイレントチェーンの弦振動を抑制できるようになる。
【００１１】
請求項２の発明においては、リンクプレートの突起部が、当該リンクプレートの各ピン穴の中心を通るピン穴中心線の上方において、リンクプレート中心線上に配置されている。この場合には、当該リンクプレートと厚み方向に隣り合う一対のリンクプレートまたはガイドリンクの双方の背面側への屈曲運動を均等に規制することができる。
【００１２】
請求項３の発明においては、リンクプレートの肩部が、リンクプレートのピン穴中心線と概略直交しつつ延びる平坦状の立ち上がり部を有している。この場合、サイレントチェーンの背面側への屈曲時には、突起部がリンクプレートの肩部の立ち上がり部に当接することにより、サイレントチェーンの背面側への弦振動が抑制されるようになっている。
【００１３】
請求項４の発明においては、突起部が、リンクプレート本体にプレス圧縮加工を施すことによりリンクプレート本体と一体に形成されている。この場合には、リンクプレートとは別個に部材を設ける必要がなく、部品点数の増加を抑制できる。
【００１４】
また突起部は、請求項５の発明に記載されているように、リンクプレート本体を挿通するピンにより構成されていてもよい。この場合には、リンクプレートとは別個に部材を設ける必要があるが、複数枚のリンクプレートを挿通するようにピンを設けることにより、複数枚のリンクプレートの各突起部を一本のピンから構成できるようになる。
【００１５】
請求項６の発明においては、突起部を有するリンクプレートからサイレントチェーンが構成されている。
【００１６】
請求項７の発明においては、突起部を有するリンクプレートが、チェーン長手方向に不規則な配列で配置されている。ここで、突起部が設けられた部分では、リンクプレートまたはガイドリンクの背面側への屈曲運動が規制されており、突起部が設けられていない部分では、リンクプレートまたはガイドリンクの背面側への屈曲運動が可能になっている。また、突起部が設けられた部分が、サイレントチェーンの弦振動の際の節として機能し、この場合、弦振動の節がチェーン長手方向に不規則に配置されている。
【００１７】
したがって、請求項７の発明によれば、サイレントチェーンの運転中には、節で仕切られた弦の長さ（つまりスパン長さ）がスプロケット間のチェーン部分で非周期的に変化する。これにより、いかなる回転数および張力でサイレントチェーンを駆動した場合でも、サイレントチェーンに共振が発生することはなくなる。
【００１８】
請求項８の発明に係るサイレントチェーン用ガイドリンクは、各々一対の歯部およびピン穴を有する多数のリンクプレートを長さ方向および厚み方向に配列して、ピン穴に挿入した連結ピンにより各々枢支可能に連結してなるサイレントチェーンに用いられ、サイレントチェーンをスプロケット上の所定位置に維持するためのガイドリンクであって、ガイドリンク本体と、ガイドリンク本体に形成され、連結ピンを挿入するための一対のピン穴とを備えている。ガイドリンク本体は、当該ガイドリンクと厚み方向に隣り合うリンクプレートの肩部と干渉することによりサイレントチェーンの背面側への屈曲を規制するように厚み方向に突出する突起部を有している。
【００１９】
請求項８の発明によれば、運転時において、共振などによりサイレントチェーンが背面側に屈曲する際には、ガイドリンクの突起部が当該ガイドリンクと厚み方向に隣り合うリンクプレートの肩部と当接する。その結果、リンクプレートの背面側への屈曲運動が規制されるので、チェーンスパンの横方向の振動をほぼ片振状態にすることができる。これにより、サイレントチェーンの弦振動を抑制できる。
【００２０】
この場合には、サイレントチェーンの噛合時にリンクプレートの屈曲運動を阻害することがなく、また、ガイドリンクに突起部を設けることでフリクションロスを発生させることもない。これにより、サイレントチェーンの動力伝達効率を低下させることなく、サイレントチェーンの弦振動を抑制できるようになる。
【００２１】
請求項９の発明においては、ガイドリンクの突起部が、ガイドリンクの各ピン穴の中心を通るピン穴中心線の上方において、ガイドリンク中心線上に配置されている。この場合には、ガイドリンクと厚み方向に隣り合う一対のリンクプレートの双方の背面側への屈曲運動を均等に規制することができる。
【００２２】
請求項１０の発明においては、突起部が、ガイドリンク本体にプレス圧縮加工を施すことによりガイドリンク本体と一体に形成されている。この場合には、ガイドリンクとは別個に部材を設ける必要がなく、部品点数の増加を抑制できる。
【００２３】
また突起部は、請求項１１の発明に記載されているように、ガイドリンク本体を挿通するピンにより構成されていてもよい。この場合には、ガイドリンクとは別個に部材を設ける必要があるが、ガイド列の複数枚のリンクプレートを挿通するようにピンを設けることにより、複数枚のリンクプレートの各突起部を一本のピンから構成できるようになる。
【００２４】
請求項１２の発明に係るサイレントチェーンは、突起部を有するガイドリンクを備えている。
【００２５】
請求項１３の発明においては、突起部を有するガイドリンクが、チェーン長手方向に不規則な配列で配置されている。ここで、突起部が設けられた部分では、リンクプレートの背面側への屈曲運動が規制されており、突起部が設けられていない部分では、リンクプレートの背面側への屈曲運動が可能になっている。また、突起部が設けられた部分が、サイレントチェーンの弦振動の際の節として機能し、この場合、弦振動の節がチェーン長手方向に不規則に配置されている。
【００２６】
したがって、請求項１３の発明によれば、サイレントチェーンの運転中には、節で仕切られた弦の長さ（スパン長さ）がスプロケット間のチェーン部分で非周期的に変化する。これにより、いかなる回転数および張力でサイレントチェーンを駆動した場合でも、サイレントチェーンに共振が発生することはなくなる。
【００２７】
請求項１４の発明は、サイレントチェーンの背面側への屈曲を規制するための屈曲規制リンクであって、歯部を有しないリンク本体と、リンク本体に形成され、連結ピンを挿入するための一対のピン穴とを備えている。リンク本体は、当該リンクと厚み方向に隣り合うリンクプレートまたはガイドリンクの肩部と干渉することによりサイレントチェーンの背面側への屈曲を規制するように厚み方向に突出する突起部を一体に有している。
【００２８】
請求項１４の発明によれば、運転時において、共振などによりサイレントチェーンが背面側に屈曲する際には、屈曲規制リンクの突起部が当該リンクと厚み方向に隣り合うリンクプレートまたはガイドリンクの肩部と当接する。その結果、リンクプレートまたはガイドリンクの背面側への屈曲運動が規制されるので、チェーンスパンの横方向の振動をほぼ片振状態にすることができる。これにより、サイレントチェーンの弦振動を抑制できる。
【００２９】
この場合には、サイレントチェーンの噛合時にリンクプレートの屈曲運動を阻害することがなく、また、屈曲規制リンクに突起部を設けることでフリクションロスを発生させることもない。これにより、サイレントチェーンの動力伝達効率を低下させることなく、サイレントチェーンの弦振動を抑制できるようになる。
【００３０】
請求項１５の発明においては、突起部が、リンク本体にプレス曲げ加工を施すことによりリンク本体と一体に形成されている。
【００３１】
請求項１６の発明においては、サイレントチェーンが、突起部を有する屈曲規制リンクを有している。
【００３２】
請求項１７の発明においては、突起部を有する屈曲規制リンクが、チェーン長手方向に不規則な配列で配置されている。ここで、突起部が設けられた部分では、リンクプレートまたはガイドリンクの背面側への屈曲運動が規制されており、突起部が設けられていない部分では、リンクプレートまたはガイドリンクの背面側への屈曲運動が可能になっている。また、突起部が設けられた部分が、サイレントチェーンの弦振動の際の節として機能し、この場合、弦振動の節がチェーン長手方向に不規則に配置されている。
【００３３】
したがって、請求項１７の発明によれば、サイレントチェーンの運転中には、節で仕切られた弦の長さ（スパン長さ）がスプロケット間のチェーン部分で非周期的に変化する。これにより、いかなる回転数および張力でサイレントチェーンを駆動した場合でも、サイレントチェーンに共振が発生することはなくなる。
【００３４】
【発明の実施の形態】
以下、本発明の実施態様を添付図面に基づいて説明する。
〔第１の実施態様〕
図１ないし図８は本発明の第１の実施態様を説明するための図であって、図１は本発明の第１の実施態様によるサイレントチェーンの平面部分図、図２はその正面部分図、図３は図１の一部拡大図、図４は突起部付きリンクプレートの正面図、図５および図６は本実施態様の作用効果を説明するための図、図７および図８は突起部の変形例を示す図であって、それぞれ図３に相当する図である。
【００３５】
図１および図２に示すように、サイレントチェーン１は、各々一対の歯部２１およびピン穴２２を有する多数のリンクプレート２，２′を長さ方向および厚み方向に配列して、ピン穴２２に挿入した連結ピン（丸ピン）３により各々枢支可能に連結することにより構成されている。最外側のリンクプレート２の外側には、サイレントチェーン１を図示しないスプロケット上の所定位置に維持するためのガイドリンク４が設けられている。ガイドリンク４は一対のピン穴４２を有しており、連結ピン３の両端はこれらのピン穴４２に固着されている。
【００３６】
図３に示すように、リンクプレート２′は、ガイドリンク４と同じチェーン長手方向位置に配置されたガイド列２Ａを構成するリンクであり、リンクプレート２は、チェーン長手方向に隣り合う各ガイド列２Ａの間に配置されるリンク列（つまりノン・ガイド列）２Ｂを構成するリンクである。
【００３７】
リンクプレート２には、厚み方向に突出する突起部２０が形成されている。突起部２０は、図４に示すように、ピン穴中心線ＣＰ　の上方においてリンク中心線ＣＬ　上に配置されている。またリンクプレート２は、その両側部に一対の肩部２３を有している。肩部２３は、ピン穴中心線ＣＰ　と概略直交しつつ延びる平坦状の立ち上がり部から構成されている。リンクプレート２′は、突起部２０を有していない点を除いて、リンクプレート２と同一の形状を有している。なお、肩部２３は、必ずしもリンクプレート２に設けられている必要はなく、少なくともリンクプレート２′に設けられていれば足りる。
【００３８】
次に、上述のように構成されたサイレントチェーンの屈曲方向について、図５および図６を用いて説明する。
図５は、隣り合う各リンクプレート２，２′が直線状に配置された状態から各リンクプレート２，２′が噛合側に屈曲運動した状態を示している。図６は、各リンクプレート２，２′が背面側に屈曲運動した状態を示している。
【００３９】
図５に示すように、各リンクプレート２，２′が噛合側に屈曲運動する際には、各リンクプレート２，２′はピン穴２２の中心の回りを回動するが、このとき、各リンクプレート２′の各肩部２３は、リンクプレート２の突起部２０とは干渉せず、各リンクプレート２，２′の噛合側への屈曲運動はスムーズに行われる。
【００４０】
一方、図６に示すように、各リンクプレート２，２′が共振などにより背面側に屈曲運動する際には、各リンクプレート２，２′はピン穴２２の中心の回りを噛合方向とは逆方向に回動するが、このとき、各リンクプレート２′の各肩部２３がリンクプレート２の突起部２０と干渉し、これにより、各リンクプレート２，２′の背面側への屈曲運動が規制される。このようにして、サイレントチェーンの背面側への屈曲が規制され、チェーンスパンの横方向の振動をほぼ片振状態にすることができる。これにより、サイレントチェーンの弦振動を抑制できる。
【００４１】
この場合には、リンクプレート２に突起部２０を設けることで、サイレントチェーンの噛合時に各リンクプレート２，２′の屈曲運動を阻害することはなく、またフリクションロスを発生させることもない。これにより、サイレントチェーンの動力伝達効率を低下させることなく、サイレントチェーンの弦振動を抑制できるようになる。
【００４２】
また、この場合には、突起部２０がリンクプレート２のリンク中心線上に設けられるので、リンクプレート２と厚み方向に隣り合う２枚のリンクプレート２′双方の背面側への屈曲運動を均等に規制することができる。
【００４３】
さらに、この場合には、突起部２０が、リンクプレート２の突起部形成側と逆側の面にポンチを圧接するプレス圧縮加工を施すことによりリンクプレート２と一体に形成されているので、リンクプレート２とは別個に部材を設ける必要がなく、部品点数の増加を抑制できる。
【００４４】
なお、前記実施態様では、最外側のリンクプレート２の各突起部２０がいずれも各リンクプレート２′の間に配置された例を示したが（図３参照）、本発明の適用はこれに限定されない。最外側のリンクプレート２の突起部２０は、隣り合う各ガイドリンク４の間に配置されるようにしてもよい。この場合、サイレントチェーンの背面側への屈曲時には、各ガイドリンク４の肩部がリンクプレート２の突起部２０と干渉して、リンクプレート２およびガイドリンク４の背面側への屈曲運動が規制されるようになっている。
【００４５】
また、前記実施態様では、突起部２０がリンク列２Ｂのリンクプレート２のみに設けられた例を示したが、本発明の適用はこれに限定されない。ガイド列２Ａのリンクプレート２′に同様の突起部を設けるようにしてもよい。
【００４６】
さらに、前記実施態様では、突起部２０がリンクプレート２と一体に成形された例を示したが、本発明の適用はこれに限定されない。図７および図８は、リンクプレートを挿通するピンによって突起部が構成された例をそれぞれ示している。
【００４７】
図７に示すものでは、リンク列２Ｂを構成する３枚のリンクプレート２のうち、真ん中のリンクプレート２を挿通するピン２５が設けられている。ピン２５がリンクプレート２を挿通する位置は、突起部２０の形成位置と同じである。ピン２５の各端部は、最外側の各リンクプレート２の近傍まで延びている。この図７に示すピン２５は、図３に示す各突起部２０と実質的に同一の機能を発揮する。
【００４８】
図８に示すものでは、ピン２５が、ガイド列２Ａを構成する２枚のリンクプレート２′を挿通している。ピン２５の各端部は、各ガイドリンク４の近傍まで延びている。この場合には、サイレントチェーンの背面側への屈曲時には、各リンクプレート２の各肩部がピン２５と干渉し、これにより、各リンクプレート２，２′の背面側への屈曲運動が規制されるようになっている。
【００４９】
なお、図７および図８のいずれの場合においても、ピン２５の両端部側方には、リンクプレート２またはガイドリンク４が配置されており、これらのリンクによりピン２５の抜け止めが行われるので、ピン２５はこれが挿通するリンクプレート２，２′に固着されている必要はない。
【００５０】
この場合には、リンクプレートとは別個にピンを設ける必要があるものの、複数枚のリンクプレートを挿通するようにピンを設けることにより、複数枚のリンクプレートの各突起部を一本のピンから構成できるようになる。
【００５１】
また、前記実施態様では、突起部２０を有するリンクプレート２がすべてのリンク列２Ｂに設けられた例を示したが、本発明の適用はこれに限定されない。突起部２０を有するリンク列２Ｂと、突起部２０を有しないリンク列２Ｂとをチェーン長手方向に不規則に配置するようにしてもよい。
【００５２】
この場合には、サイレントチェーンが巻き掛けられるドライブスプロケットおよびドリブンスプロケット間の直線状スパンにおいて、突起部２０を有するリンク列２Ｂおよびその左右両側の各ガイド列２Ａは背面側への屈曲運動が規制されるが、突起部２０を有しないリンク列２Ｂおよびその左右両側の各ガイド列２Ａは背面側への屈曲運動が規制されない。
【００５３】
これにより、チェーンの運転中には、屈曲運動が規制されたガイド列２Ｂ部分が弦振動の際の節として機能するとともに、これらの節で仕切られた弦の長さ（つまりスパン長さ）が、スプロケット間のチェーン直線状スパン部分において非周期的に変化する。これにより、いかなる回転数および張力でチェーンを駆動した場合でも、チェーンに共振が発生するのを防止できるようになる。
【００５４】
〔第２の実施態様〕
図９ないし図１６は本発明の第２の実施態様を説明するための図であって、図９は本発明の第２の実施態様によるサイレントチェーンの平面部分図、図１０はその正面部分図、図１１は図９の一部拡大図、図１２は突起部付きガイドリンクの正面図、図１３および図１４は本実施態様の作用効果を説明するための図、図１５および図１６は突起部の変形例を示す図であって、それぞれ図１１に相当する図である。これらの図において、前記第１の実施態様と同一符号は同一または相当部分を示している。
【００５５】
この第２の実施態様では、ガイドリンク４に突起部４０が設けられている。突起部４０は、図１２に示すように、ピン穴中心線ＣＰ　の上方においてリンク中心線ＣＬ　上に配置されている。一方、ガイド列２Ａおよびリンク列２Ｂをそれぞれ構成する各リンクプレート２′，２に突起部は設けられていない。リンク列２Ｂを構成するリンクプレート２には、前記第１の実施態様と同様の肩部２３が形成されている。
【００５６】
次に、サイレントチェーン１の屈曲方向について、図１３および図１４を用いて説明する。
図１３は、隣り合うガイドリンク４および各リンクプレート２′が直線状に配置された状態から各リンクプレート２′が噛合側に屈曲運動した状態を示している。図１４は、各リンクプレート２′が背面側に屈曲運動した状態を示している。
【００５７】
図１３に示すように、各リンクプレート２′が噛合側に屈曲運動する際には、各リンクプレート２′はピン穴２２の中心の回りを回動するが、このとき、各リンクプレート２′の各肩部２３は、ガイドリンク４の突起部４０とは干渉せず、各リンクプレート２′の噛合側への屈曲運動はスムーズに行われる。
【００５８】
一方、図１４に示すように、各リンクプレート２′が共振などにより背面側に屈曲運動する際には、各リンクプレート２′はピン穴２２の中心の回りを噛合方向とは逆方向に回動するが、このとき、各リンクプレート２′の各肩部２３がガイドリンク４の突起部４０と干渉し、これにより、各リンクプレート２′の背面側への屈曲運動が規制される。このようにして、サイレントチェーンの背面側への屈曲が規制され、チェーンスパンの横方向の振動をほぼ片振状態にすることができる。これにより、サイレントチェーンの弦振動を抑制できる。
【００５９】
この場合には、ガイドリンク４に突起部４０を設けることで、サイレントチェーンの噛合時に各リンクプレート２，２′の屈曲運動を阻害することはなく、またフリクションロスを発生させることもない。これにより、サイレントチェーンの動力伝達効率を低下させることなく、サイレントチェーンの弦振動を抑制できるようになる。
【００６０】
また、この場合には、突起部４０がガイドリンク４のリンク中心線上に設けられるので、ガイドリンク４と厚み方向に隣り合う２枚のリンクプレート２′双方の背面側への屈曲運動を均等に規制することができる。
【００６１】
さらに、この場合には、突起部４０が、ガイドリンク４の突起部形成側と逆側の面にポンチを圧接するプレス圧縮加工を施すことによりガイドリンク４と一体に形成されているので、ガイドリンク４とは別個に部材を設ける必要がなく、部品点数の増加を抑制できる。
【００６２】
なお、突起部４０は、ガイドリンク４と別個に設けるようにしてもよい。図１５および図１６は、ガイドリンクを挿通するピンによって突起部が構成された例をそれぞれ示している。
【００６３】
図１５に示すものでは、各ガイドリンク４を挿通するピン４５が各ガイドリンク４にそれぞれ設けられている。ピン４５がガイドリンク４を挿通する位置は、突起部４０の形成位置と同じである。ピン４５の各端部は、リンクプレート２′の近傍まで延びている。この図１５に示すピン４５は、図１１に示す各突起部４０と実質的に同一の機能を発揮する。
【００６４】
図１６に示すものでは、ピン４５が、ガイドリンク４のみならず、ガイド列２Ａを構成するすべてのリンクプレート２′を挿通している。つまり、ピン４５は、チェーンの幅方向全体にわたって延びている。この場合には、サイレントチェーンの背面側への屈曲時には、リンク列２Ｂを構成するすべてのリンクプレート２の各肩部がピン４５と干渉することになり、これにより、各リンクプレート２，２′の背面側への屈曲運動がより確実に規制されるようになっている。
【００６５】
なお、図１５および図１６のいずれの場合においても、ピン４５の両端部は、各ガイドリンク４に固着されている。
【００６６】
この場合には、ガイドリンクとは別個にピンを設ける必要があるものの、ガイド列内のリンクプレートをも挿通するようにピンを設けることにより、ガイドリンクのみならず複数枚のリンクプレートの各突起部を一本のピンから構成できるようになる。
【００６７】
また、前記実施態様では、すべてのガイドリンク４に突起部４０が設けられた例を示したが、本発明の適用はこれに限定されない。突起部４０を有するガイドリンク４と、突起部４０を有しないガイドリンク４とをチェーン長手方向に不規則に配置するようにしてもよい。
【００６８】
この場合には、サイレントチェーンが巻き掛けられるドライブスプロケットおよびドリブンスプロケット間の直線状スパンにおいて、突起部４０を有するガイド列２Ａおよびその左右両側の各リンク列２Ｂは背面側への屈曲運動が規制されるが、突起部４０を有しないガイド列２Ａおよびその左右両側の各リンク列２Ｂは背面側への屈曲運動が規制されない。
【００６９】
これにより、チェーンの運転中には、屈曲運動が規制されたガイド列２Ａ部分が弦振動の際の節として機能するとともに、これらの節で仕切られた弦の長さ（スパン長さ）が、スプロケット間のチェーン直線状スパン部分において非周期的に変化する。これにより、いかなる回転数および張力でチェーンを駆動した場合でも、チェーンに共振が発生するのを防止できるようになる。
【００７０】
〔第３の実施態様〕
図１７ないし図２３は本発明の第３の実施態様を説明するための図であって、図１７は本発明の第３の実施態様によるサイレントチェーンの平面部分図、図１８はその正面部分図、図１９は屈曲規制リンクの斜視図、図２０は屈曲規制リンクの第１の変形例を示す斜視図、図２１（ａ）は屈曲規制リンクの第２の変形例の正面図、同図（ｂ）はその底面図、図２２（ａ）は屈曲規制リンクの第３の変形例の正面図、同図（ｂ）はその底面図、図２３（ａ）は屈曲規制リンクの第４の変形例の正面図、同図（ｂ）はその底面図である。これらの図において、前記第１または第２の実施態様と同一符号は同一または相当部分を示している。
【００７１】
この第３の実施態様では、リンク列２Ｂに屈曲規制リンク５が設けられている。屈曲規制リンク５は、図１９に示すように、一対のピン穴５２が形成された概略八の字状の形状を有しており、厚み方向に突出する突起部５０を有している。突起部５０は、リンク中心線上においてリンク上端に配置されている。突起部５０は、リンク本体とともに薄板をプレス打抜き加工した後、プレス曲げ加工を施すことにより形成されている。一方、ガイド列２Ａを構成するリンクプレート２′には、前記第１の実施態様と同様の肩部２３が形成されている。
【００７２】
この場合、各リンクプレート２′が噛合側に屈曲運動する際には、各リンクプレート２′の各肩部２３は、屈曲規制リンク５の突起部５０とは干渉せず、各リンクプレート２′の噛合側への屈曲運動はスムーズに行われる。
【００７３】
一方、各リンクプレート２′が共振などにより背面側に屈曲運動する際には、各リンクプレート２′はピン穴２２の中心の回りを噛合方向とは逆方向に回動するが、このとき、各リンクプレート２′の各肩部２３が屈曲規制リンク５の突起部５０と干渉し、これにより、各リンクプレート２′の背面側への屈曲運動が規制される。このようにして、サイレントチェーンの背面側への屈曲が規制され、チェーンスパンの横方向の振動をほぼ片振状態にすることができる。これにより、サイレントチェーンの弦振動を抑制できる。
【００７４】
この場合には、屈曲規制リンク５を設けることで、サイレントチェーンの噛合時に各リンクプレート２′の屈曲運動を阻害することはなく、またフリクションロスを発生させることもない。これにより、サイレントチェーンの動力伝達効率を低下させることなく、サイレントチェーンの弦振動を抑制できるようになる。
【００７５】
また、この場合には、突起部５０が屈曲規制リンク５のリンク中心線上に設けられるので、屈曲規制リンク５と厚み方向に隣り合う２枚のリンクプレート２′双方の背面側への屈曲運動を均等に規制することができる。
【００７６】
屈曲規制リンク５としては、図１９に示すものには限定されず、図２０ないし図２３に示すようなものであってもよい。
【００７７】
図２０に示す屈曲規制リンク５は、厚み方向に突出する一対の突起部５３を有している。各突起部５３は、リンク中心線に関して対称に配置されており、同様にリンク本体のプレス打抜き加工後、プレス曲げ加工を施すことにより形成されている。図２１に示す屈曲規制リンク５は、リンク中央部にプレス圧縮加工を施すことにより厚み方向に断面Ｖ字状に突出する突起部５４を有している。
【００７８】
図２２および図２３に示すものでは、屈曲規制リンク５の一方の側部にそれぞれ突起部５５，５６を有している。突起部５５は、プレス打抜き加工により形成された帯状片をリンク厚み方向に鋭角に折り曲げることにより形成されている。また突起部５６は、同様の帯状片を断面Ｖ字状またはＵ字状に折り曲げることにより形成されている。
【００７９】
図２２または図２３に示す屈曲規制リンク５を含むサイレントチェーンにおいては、サイレントチェーンの背面側への屈曲時には、突起部５５，５６が、屈曲規制リンク５の突起部側において当該屈曲規制リンク５とチェーン長手方向に隣り合うリンクプレートの肩部と干渉することにより、リンクプレートの屈曲運動が規制されて、サイレントチェーンの屈曲が規制されるようになっている。
【００８０】
【発明の効果】
以上のように本発明によれば、サイレントチェーンの背面側への屈曲時にリンクプレートまたはガイドリンクの肩部と干渉することによりサイレントチェーンの背面側への屈曲を規制する突起部をリンクプレート、ガイドリンクまたは屈曲規制リンクに設けるようにしたので、動力伝達効率を低下させることなく、サイレントチェーンの弦振動を抑制できる効果がある。
【図面の簡単な説明】
【図１】本発明の第１の実施態様によるサイレントチェーンの平面部分図である。
【図２】サイレントチェーン（図１）の正面部分図である。
【図３】図１の一部拡大図である。
【図４】突起部付きリンクプレートの正面図である。
【図５】本実施態様の作用効果を説明するための図である。
【図６】本実施態様の作用効果を説明するための図である。
【図７】突起部の変形例を示す図であって、図３に相当する図である。
【図８】突起部の変形例を示す図であって、図３に相当する図である。
【図９】本発明の第２の実施態様によるサイレントチェーンの平面部分図である。
【図１０】サイレントチェーン（図９）の正面部分図である。
【図１１】図９の一部拡大図である。
【図１２】突起部付きガイドリンクの正面図である。
【図１３】本実施態様の作用効果を説明するための図である。
【図１４】本実施態様の作用効果を説明するための図である。
【図１５】突起部の変形例を示す図であって、図１１に相当する図である。
【図１６】突起部の変形例を示す図であって、図１１に相当する図である。
【図１７】本発明の第３の実施態様によるサイレントチェーンの平面部分図である。
【図１８】サイレントチェーン（図１７）の正面部分図である。
【図１９】屈曲規制リンクの斜視図である。
【図２０】屈曲規制リンクの第１の変形例を示す斜視図である。
【図２１】（ａ）は屈曲規制リンクの第２の変形例の正面図、（ｂ）はその底面図である。
【図２２】（ａ）は屈曲規制リンクの第３の変形例の正面図、（ｂ）はその底面図である。
【図２３】（ａ）は屈曲規制リンクの第４の変形例の正面図、（ｂ）はその底面図である。
【符号の説明】
１：　サイレントチェーン
２，２′：　リンクプレート
２Ａ：　ガイド列
２Ｂ：　リンク列
２０：　突起部
２１：　歯部
２２：　ピン穴
２３：　肩部
２５：　ピン
３：　連結ピン
４：　ガイドリンク
４０：　突起部
４２：　ピン穴
４５：　ピン
５：　屈曲規制リンク
５０：　突起部
５３〜５６：　突起部
【図１】
2004028154.tif 000003
【図２】
2004028154.tif 000004
【図３】
2004028154.tif 000005
【図４】
2004028154.tif 000006
【図５】
2004028154.tif 000007
【図６】
2004028154.tif 000008
【図７】
2004028154.tif 000009
【図８】
2004028154.tif 000010
【図９】
2004028154.tif 000011
【図１０】
2004028154.tif 000012
【図１１】
2004028154.tif 000013
【図１２】
2004028154.tif 000014
【図１３】
2004028154.tif 000015
【図１４】
2004028154.tif 000016
【図１５】
2004028154.tif 000017
【図１６】
2004028154.tif 000018
【図１７】
2004028154.tif 000019
【図１８】
2004028154.tif 000020
【図１９】
2004028154.tif 000021
【図２０】
2004028154.tif 000022
【図２１】
2004028154.tif 000023
【図２２】
2004028154.tif 000024
【図２３】
2004028154.tif 000025